(57)【特許請求の範囲】
【請求項１】
空中ケーブル（２）による輸送装置であって、
−  少なくとも２つの車両（３〜５）であって、前記車両を前記空中ケーブル（２）から離脱させ、かつ前記車両を前記空中ケーブル（２）へ連結する着脱式クランプをそれぞれが備えた、少なくとも２つの車両（３〜５）と、
−  前記空中ケーブル（２）に対する前記車両（３〜５）のための少なくとも１つの連結装置（１７）と、
−  前記空中ケーブル（２）のための少なくとも１つの曲げ用柱（２３，２４，４０）と、
を備える、輸送装置において、
−  前記空中ケーブル（２）へ連結された第１の車両による、前記柱（２３，２４，４０）の通過を検出する検出手段（２５〜２７）であって、通過を検出した際に、少なくとも１つの連結信号を送信するように構成されている検出手段（２５〜２７）と、
−  前記検出手段（２５〜２７）に接続され、かつ前記連結信号を受信すると、前記空中ケーブル（２）に対する少なくとも第２の車両の連結を命令するように構成されている、前記連結装置（１７）のための制御手段（２８）と、
を備える、ことを特徴とする輸送装置。
【請求項２】
前記検出手段（２５〜２７）は、前記空中ケーブル（２）へ連結された第１の車両による前記柱（２３，２４，４０）の通過を検出し、かつ前記柱（２３，２４，４０）の通過を検出した際に、前記制御手段（２８）へ連結信号を送信するように構成された位置センサ（２５）を備える、請求項１に記載の装置。
【請求項３】
前記検出手段（２５〜２７）は、前記第１の車両が前記空中ケーブル（２）に連結される通過時間の測定、前記空中ケーブル（２）を駆動するブルホイールの回転速度の測定、および予め記録された前記連結装置（１７）と前記柱（２３，２４，４０）との間の距離に基づいて前記第１の車両が前記柱（２３，２４，４０）を通過するであろう時間を計算し、かつ計算された前記時間に達した際に、前記制御手段（２８）へ連結信号を送信するように構成された計算ユニット（２７）を、備える、請求項１に記載の装置。
【請求項４】
前記空中ケーブル（２）のための駆動モータ（１０）を備え、
前記検出手段（２５〜２７）は、前記駆動モータ（１０）により供給されるトルクを決定し、かつ前記駆動モータ（１０）により供給されるトルクの変化率の絶対値が、設定されたしきい値よりも高い場合に、前記制御手段（２８）へ連結信号を送信するモジュール（２６）を備える、請求項１に記載の装置。
【請求項５】
前記モジュール（２６）は、前記駆動モータ（１０）により消費される電流を測定し、かつ測定された前記消費電流から、前記駆動モータ（１０）により供給されるトルクを決定する手段を、備える、請求項４に記載の装置。
【請求項６】
前記柱は、前記空中ケーブル（２）を下降方向に曲げる支柱（２３，２４）であり、前記検出手段（２５〜２７）は、前記駆動モータ（１０）により供給されるトルクの減少率が、前記設定されたしきい値よりも高い場合に、前記制御手段（２８）へ前記連結信号を送信する、請求項４に記載の装置。
【請求項７】
前記ロープを上昇方向に曲げる、少なくとも１つの加圧柱（２４）を備え、
前記検出手段（２５〜２７）は、前記駆動モータ（１０）により供給されるトルクの増加率が、前記設定されたしきい値よりも高い場合に、前記制御手段（２８）へ前記連結信号を送信する、請求項４に記載の装置。
【請求項８】
前記制御手段（２８）は、可変の連結頻度で前記車両（３〜５）を連結するように、前記連結装置（１７）へ命令する、請求項１に記載の装置。
【請求項９】
前記空中ケーブル（２）に対する車両（３〜５）のための連結装置（１７）をそれぞれが備える、少なくとも２つのステーション（６〜８）を備え、
前記制御手段（２８）は、少なくとも１つの他のステーション（６〜８）の前記連結装置（１７）の連結頻度とは異なる連結頻度で、前記車両（３〜５）を前記空中ケーブル（２）へ連結するように、ステーション（６〜８）の前記連結装置（１７）へ命令する、請求項１に記載の装置。
【請求項１０】
少なくとも２つの車両（３〜５）を空中ケーブル（２）で輸送する方法であって、前記車両（３〜５）は、それぞれ、前記空中ケーブル（２）から離脱され、かつ前記空中ケーブル（２）へ連結される着脱式クランプを備え、前記空中ケーブル（２）は、少なくとも１つの柱（２３，２４，４０）によって曲げられている方法において、
−  前記空中ケーブル（２）へ連結された第１の車両の、前記柱（２３，２４，４０）の通過を検出するステップと、
−  通過を検出した際に、少なくとも第２の車両を前記空中ケーブル（２）へ連結するステップと、
を有することを特徴とする輸送方法。
【請求項１１】
前記検出ステップは、前記第１の車両が前記空中ケーブル（２）に連結される通過時間の測定、前記空中ケーブル（２）を駆動するブルホイールの回転速度の測定、および予め記録された前記連結装置（１７）と前記柱（２３，２４，４０）との間の距離に基づいて前記第１の車両が前記柱（２３，２４，４０）を通過するであろう時間を計算することを有し、
前記連結ステップは、計算された前記時間に達した際に、少なくとも第２の車両を、前記空中ケーブル（２）へ連結することを有する、請求項１０に記載の方法。
【請求項１２】
前記空中ケーブル（２）は、モータ（１０）により駆動され、
前記検出ステップは、前記モータ（１０）により供給されるトルクを決定することを有し、
前記連結ステップは、前記モータにより供給されるトルクの変化率の絶対値が、設定されたしきい値よりも高い場合に、少なくとも第２の車両を、前記空中ケーブル（２）へ連結することを有する、請求項１０に記載の方法。
【請求項１３】
前記空中ケーブル（２）は、少なくとも１つの支柱（２３，２４）により、下降方向に曲げられ、
前記連結ステップは、前記モータ（１０）により供給されるトルクの減少率が、前記設定されたしきい値よりも高い場合に、少なくとも第２の車両を前記空中ケーブル（２）へ連結することを有する、請求項１２に記載の方法。
【請求項１４】
前記空中ケーブル（２）が、少なくとも１つの加圧柱（２４）により、上昇方向に曲げられ、
前記連結ステップは、前記モータ（１０）により供給されるトルクの増加率が、前記設定されたしきい値よりも高い場合に、少なくとも第２の車両を前記空中ケーブル（２）へ連結することを有する、請求項１２に記載の方法。
【請求項１５】
前記連結ステップは、可変の連結頻度で、前記車両（３〜５）を連結することを有する、請求項１０に記載の方法。
【請求項１６】
前記車両（３〜５）を前記空中ケーブル（２）へ連結するように構成されている、少なくとも２つのステーション（６〜８）を備え、
前記連結ステップは、少なくとも１つのステーション（６〜８）内で、少なくとも１つの他のステーション（６〜８）の連結頻度とは異なる連結頻度で、前記車両を連結することを有する、請求項１０に記載の方法。
【発明の詳細な説明】
【技術分野】
【０００１】
本発明は、空中ケーブルによる輸送、特に人間の輸送、特にケーブルカーに関する。
【背景技術】
【０００２】
現在、異なる種類のケーブルによる輸送装置が存在する。例えば、ケーブル鉄道など、地面レベルに位置する輸送ロープを用いた装置がある。他の装置は、１つまたは複数の空中輸送ロープを使用し、キャビン、カー、チェア等とも呼ばれる１つまたは複数の乗用車両を動かす輸送装置であるケーブルカーなどが挙げられる。あるケーブルカーは、着脱式と言われており、すなわち、空中輸送ロープへ連結されるように設計された車両に、着脱式クランプが設けられており、着脱式クランプは、特に車両がターミナルまたは装置に入る際に、車両をロープから離脱させることを可能にする。さらに、これらのケーブルカーは、乗客を輸送するように設計されており、乗客輸送中における乗客の快適性を向上させる手段を提供することが好適である。特に、車両が柱を通過する際に、ロープにかかる張力を変える、ロープの方向の変化に特に起因して、振動が起こることがあり、乗客に対して不快感を生じさせることがある。加えて、これらの装置は、電力消費者であり、このような装置によって消費される電力を節約する手段を設ける要求が存在する。
【発明の概要】
【発明が解決しようとする課題】
【０００３】
本発明の１つの目的は、乗客輸送中の、車両の乗客の快適性を向上させる手段を提供することである。
【０００４】
本発明の他の目的は、ケーブルによる輸送装置の電力消費を減少することである。
【課題を解決するための手段】
【０００５】
本発明の１つの特徴によれば、空中ケーブルによる輸送装置が提案され、輸送装置は、
−  少なくとも２つの車両であって、車両を空中ケーブルから離脱させ、かつ車両を空中ケーブルへ連結する着脱式クランプをそれぞれが備えた、少なくとも２つの車両と、
−  空中ケーブルに対する車両のための少なくとも１つの連結装置と、
−  空中ケーブルのための少なくとも１つの曲げ用柱（flexing pillar）と、
を備える。
【０００６】
装置は、
−  空中ケーブルへ連結された第１の車両による、前記柱の通過を検出する検出手段であって、通過を検出した際に、少なくとも１つの連結信号を送信するように構成されている検出手段と、
−  検出手段に接続され、かつ前記連結信号を受信すると、空中ケーブルに対する少なくとも第２の車両の連結を命令するように構成されている、前記連結装置のための制御手段と、
をさらに備える。
【０００７】
ライン上の車両が空中ケーブルのための曲げ用柱を通過する際にロープで生じる振動は、これにより減少される。空中ケーブルのための曲げ用柱は、ロープを下降方向に曲げる支柱、またはロープを上昇方向に曲げる加圧柱、あるいは他方で、支柱または加圧柱として機能する支持−加圧柱とすることができる。車両が柱を通過する際、ロープに生じている全体の張力は、実際に変化し、これは、ロープに振動を生じさせる。振動を減少させるために、１つまたは複数の他の車両を、空中ケーブルへ連結させて、張力が減少傾向にある際は張力を増加させるか、またはその逆のいずれかにより、ロープの全体の張力の変化を相殺する。ロープへ連結されたもう１つの車両が柱を通過する際、ターミナル内の少なくとも１つの車両を連結することにより、駆動モータにより供給されるトルクは平滑化され、振動を制限し、モータにより消費される電力を減少させる。モータの振動は、これにより、輸送装置の異なる構成、特に１つの支持柱または１つの加圧柱を有する構成のために減少させることができる。好適には、駆動モータの必要電力は減少される。よって、より小さな寸法を有する、１つの駆動モータを用いることが考えられる。もう１つの利点によれば、ロープのブレーキ力は減少され、駆動モータ用、およびブルホイール用に、より小さい力のブレーキを用いることができる。もう１つの利点によれば、駆動モータの必要電力は減少され、より小さいモータ軸イナーシャを用いることが考えられる。
【０００８】
検出手段は、空中ケーブルへ連結された第１の車両による前記柱の通過を検出し、かつ前記柱の通過を検出した際に、制御手段へ連結信号を送信するように構成された位置センサを備えることができる。
【０００９】
検出手段は、第１の車両が前記柱を通過するであろう時間を計算し、かつ計算された時間に達した際に、制御手段へ連結信号を送信するように構成された計算ユニットを、さらに備えることができる。
【００１０】
装置は、空中ケーブルのための駆動モータを備えることができ、検出手段は、駆動モータにより供給されるトルクを決定し、かつ駆動モータにより供給されるトルクの変化率の絶対値が、設定されたしきい値よりも高い場合に、制御手段へ連結信号を送信するモジュールを備えることができる。
【００１１】
特に、車両を坂下ポイントから坂上ポイントまで輸送する場合、車両が支柱を通過する際、車両は、次に坂上ポイントから坂下ポイントまで輸送され、車両は、ロープの駆動を強めてしまい、これはモータの振動をもたらす。車両が支柱を通過する際、トルクの変化率は、設定されたしきい値よりも高くなり、もう１つの車両を連結して、モータトルクを再び増加させ、これにより、ロープの駆動モータにより供給されるトルクを平滑化する。ターミナル内の制御された車両の連結によって、モータにより供給されるモータトルクを平滑化することができ、これは乗客の快適性を向上させ、ブルホイール駆動モータの電力消費を減少させる。変化率が意味するものは、時間で分割された、駆動モータにより供給されるモータトルクの増加または減少いずれかの変化の絶対値である。
【００１２】
モジュールは、駆動モータにより消費される電流を測定し、かつ測定された消費電流から、駆動モータにより供給されるトルクを決定する手段を備えることができる。
【００１３】
前記柱は、空中ケーブルを下降方向に曲げる支柱とすることができ、検出手段は、駆動モータにより供給されるトルクの減少率が設定されたしきい値よりも高い場合に、制御手段へ連結信号を送信することができる。
【００１４】
装置は、ロープを上昇方向に曲げる、少なくとも１つの加圧柱を備えることができ、検出手段は、駆動モータにより供給されるトルクの増加率が、設定されたしきい値よりも高い場合に、制御手段へ連結信号を送信する。
【００１５】
装置が加圧柱を備える場合、車両は、坂上ポイントから坂下ポイントまで輸送され、次いで車両が加圧柱を通過する際、車両は、次に坂下ポイントから坂上ポイントまで輸送され、車両は、ロープの駆動を減速させてしまい、これはモータの振動をもたらす。車両が柱を通過する際、トルクは増加し、特に、トルクの増加率は設定されたしきい値よりも高くなり、もう１つの車両を連結して、モータトルクを再び減少させ、かつロープの駆動モータにより供給されるトルクを平滑化する。
【００１６】
支持−加圧柱の場合、柱の通過の前に車両を坂下から坂上まで、次いでこの通過の後に坂上から坂下まで輸送する場合に、支柱のケースが関係する。柱の通過の前に車両を坂上から坂下まで、次いでこの通過の後に坂下から坂上まで輸送する場合に、加圧柱のケースが関係する。
【００１７】
制御手段は、可変の連結頻度により車両を連結するように、前記連結装置に命令することができる。
【００１８】
このような装置は、要求に従って車両を連結すること、より具体的には、モータにより供給されるトルクの変化率が、可変の頻度で、設定されたしきい値を超える場合に特に適している。
【００１９】
装置は、空中ケーブルに対する車両のための連結装置をそれぞれが備えた、少なくとも２つのステーションを備えることができ、制御手段は、少なくとも１つの他のステーションの連結装置の連結頻度とは異なる連結頻度で、車両を空中ケーブルへ連結するように、ターミナルの連結装置に命令する。
【００２０】
ロープに生じた振動は、これにより、車両の連結リズムを柱の通過と同期させることで抑制され、これは、異なるターミナル間で同じ走行リズムを有し、かつロープに生じた振動を減少させることが可能でない装置の場合には当てはまらない。
【００２１】
本発明のもう１つの特徴によれば、少なくとも２つの車両の空中ケーブルによる輸送のための方法が提案され、車両は、それぞれ、空中ケーブルから離脱され、かつ空中ケーブルへ連結される着脱式クランプを備えており、空中ケーブルを、少なくとも１つの柱によって曲げている。
【００２２】
方法は、
−  空中ケーブルへ連結された第１の車両の、前記柱の通過を検出するステップと、
−  通過を検出した際に、少なくとも第２の車両を空中ケーブルへ連結するステップと、
を有する。
【００２３】
検出ステップは、第１の車両が前記柱を通過するであろう時間を計算することを有することができ、連結ステップは、計算された時間に達した際に、少なくとも第２の車両を、空中ケーブルへ連結することを有する。
【００２４】
空中ケーブルは、モータにより駆動することができ、検出ステップは、モータにより供給されるトルクを決定することを有し、連結ステップは、モータにより供給されるトルクの変化率の絶対値が、設定されたしきい値よりも高い場合に、少なくとも第２の車両を、空中ケーブルへ連結することを有する。
【００２５】
空中ケーブルは、少なくとも１つの支柱により、下降方向に曲げることができ、連結ステップは、モータにより供給されるトルクの減少率が、設定されたしきい値よりも高い場合に、少なくとも第２の車両を空中ケーブルへ連結することを有することができる。
【００２６】
空中ケーブルは、少なくとも１つの加圧柱により、上昇方向に曲げることができ、連結ステップは、モータにより供給されるトルクの増加率が、設定されたしきい値よりも高い場合に、少なくとも第２の車両を空中ケーブルへ連結することを有する。
【００２７】
連結ステップは、可変の連結頻度で、車両を連結することを有することもできる。
【００２８】
方法は、車両を空中ケーブルへ連結するように構成されている、少なくとも２つのステーションを備えることができ、連結ステップは、少なくとも１つの他のステーションの連結頻度とは異なる連結頻度で、少なくとも１つのステーション内で車両を連結することを有することができる。
【図面の簡単な説明】
【００２９】
他の利点および特徴は、非限定の例の目的だけのために与えられる、添付の図面に表される本発明の特定の実施形態の以下の説明からより明らかとなる。
【図１】本発明に係るケーブルによる輸送装置の実施形態を模式的に示す図である。
【図２】ロープの駆動モータにより供給されるトルク対時間のプロットを模式的に示す図である。
【図３】ケーブルによる輸送装置の他の実施形態を模式的に示す図である。
【図４】ケーブルによる輸送装置の他の実施形態を模式的に示す図である。
【図５】ケーブルによる輸送装置の他の実施形態を模式的に示す図である。
【発明を実施するための形態】
【００３０】
図１には、少なくとも２つの車両３〜５を備える空中ケーブル２による輸送装置１が表されている。図１に示される例において、装置は、３つの車両３〜５を備える。車両３〜５は、ロープ２へ連結され、このロープにより輸送されるように構成されている。輸送装置１は、一般的には、ケーブルカーである。より具体的には、装置１は、キャビンリフトとすることができ、この場合、車両は閉じており、または装置１は、車両が開放されたチェアリフトとすることができる。装置１は、人を乗降させるためのターミナル６，７と呼ばれる、少なくとも２つのターミナルステーションを備える。図１および図５に示す例において、装置１は、同じレベル、すなわち同一水平線上に位置する２つのターミナル６，７を備える。変形例として、図３および図４に示すように、第１のターミナル６は、坂上に位置し、坂上ターミナルと呼ばれ、第２のターミナル７は、坂下に位置し、坂下ターミナルと呼ばれる。輸送装置１は、図４に示すように、２つのターミナル６，７の間に位置する１つまたは複数の中間ステーション８をさらに備えることができる。一般的には、輸送装置１は、着脱式と言われ、すなわち、車両３〜５は、空中ケーブル２へ連結、かつ空中ケーブル２から離脱できるようにするための着脱式クランプをそれぞれ備えている。装置１は、地面より上に車両３〜５を吊り下げる、運搬ロープと呼ばれる他のロープをさらに備えることができる。輸送装置１は、車両が大きく重い場合、他の輸送ロープを備えることもできる。これらの異なるロープは、簡潔さのために図面に示されていない。いずれの場合も、装置１は、ターミナル６から他のターミナル７，８まで、その逆も同様に牽引により車両３〜５を動かすために、少なくとも１つの輸送ロープ２を備え、このロープは運搬ロープとしても、しなくてもよい。輸送ロープ２は、閉ループの連続するロープであり、ブルホイール９により駆動され、ブルホイール９自体は、駆動ターミナル６とも呼ばれる、ターミナル６のうちの１つのモータ１０により駆動される。他のターミナル７は、一方で、ターミナル６，７の間で、輸送ロープ２を張力のかかった状態にする、戻りブルホイールと呼ばれる、非モータ式のブルホイール１１を備える。
【００３１】
さらに、車両３〜５がステーション６〜８を離れる際、終点ターミナル６，７または中間ステーション８のいずれかの、もう１つのステーションまで車両を運ぶロープ２に、車両は連結される。この場合、着脱式クランプは閉じられ、車両は、ロープ２に固定され、すなわち、常時、機械的にロープ２に接続される。２つのステーションの間で、車両は、輸送ロープ２により決められた走行トラックに沿って走り、また、車両は、ライン上であると言われる。車両３〜５が、ステーション６〜８に到着すると、車両のクランプは開放され、車両３〜５は、輸送ロープ２から離脱される。離脱された車両は、停止することができ、あるいは輸送ロープ２の速度よりも低速で、ステーション６〜８の移送サーキット１２を走ることができる。各移送サーキット１２は、減速セクション１３と、加速セクション１４と、先述した２つのセクション１３，１４を接続する中間セクション１５とを備える。より具体的には、各ターミナル６，７は、１つの移送サーキット１２を備え、中間ステーション８は、２つの移送サーキット１２ａ，１２ｂを備えることができる。
【００３２】
各セクション１３〜１５は、セクション１３〜１５に沿って配置された空気入りタイヤを有する一組の車輪１６を備える。車輪１６は、車両３〜５のクランプに固定された摩擦板と摩擦により協同し、ステーション６〜８のそれぞれの移送サーキット１２内で、離脱された車両を動かす。
【００３３】
各ステーション６〜８は、空中ケーブル２に車両を連結する連結装置１７と、車両を離脱させる離脱装置１８とを備える。離脱装置１８は、減速セクション１３と、ステーションに入る車両のクランプを開くクランプ開放機構１９とを備え、クランプ開放機構１９は、車両をロープ２から離脱させる。開放機構１９は、減速セクション１３の先頭、すなわち、車両がステーションに入る場所に位置する。開放機構１９は、レールを備えており、クランプのバネを加圧してクランプを開き、移送サーキット１２，１２ａ，１２ｂにおける車両の走行の間に、クランプを開いたままにすることを可能にする。次いで車両は、中間セクション１５に到達し、このセクションでは、車両を停止させるか、または低速で、減速セクション１３で動くよりも低い速度で動かすことも可能である。
【００３４】
さらに、各連結装置１７は、中間セクション１５と、加速セクション１４と、送出装置２０とを備える。送出装置２０は、スタータ駆動モータ２１と、加速モータ２２とを備える。スタータ駆動モータ２１は、中間セクション１５の一組の車輪１６を駆動し、離脱された車両を中間セクション１５から加速セクション１４まで動かす。例えば、スタータ駆動モータ２１は、中間セクション１５の車輪１６の駆動ベルトを駆動する。変形例として、スタータ駆動モータ２１は、車両を押圧し、かつ車両を１つの位置から他の位置へと押すスタッドチェーンを駆動する。加速モータ２２は、一方、振動なしに車両を取り付けるために、離脱された車両を、加速セクション１４に沿って、輸送ロープ２の速度に等しい速度まで加速することを可能にする。例えば、加速モータ２２は、加速セクション１４の車輪１６をベルトによって駆動し、離脱された車両を加速させる。車両が加速セクション１４を離れると、クランプはレールから出て、バネは再び加圧され、輸送ロープ２に対してクランプを閉じ、これにより車両をロープ２へ連結させる。スタータ駆動モータ２１および加速モータ２２は、可変速または定速のモータとすることができる。好ましくは、モータ２１，２２は、定速モータである。
【００３５】
装置１は、また、空中ケーブル２のための少なくとも１つの支柱２３を備える。換言すれば、支柱２３は、例えば空中ケーブル２が地面の形状に沿うように、空中ケーブル２を地面の方向に曲げる。これは、支柱２３は空中ケーブル２を下降方向に曲げることを意味する。一般的に、支柱２３は、２つのターミナル６〜８の間に位置する。装置１は、図５に示すように、ロープ２を上昇方向に曲げる少なくとも１つの加圧柱２４をさらに備えることができる。変形例として、装置１は、１つまたは複数の支持−加圧柱を備えることができる。
【００３６】
装置１は、空中ケーブル２へ連結された車両による、柱、支柱２３および／または加圧柱２４、および／または支持−加圧柱（簡潔さのために図示せず）の通過の検出手段２５〜２７と、ターミナル６〜８の連結装置１７を制御するように構成された制御手段２８と、をさらに備えることができる。
【００３７】
検出手段２５〜２７は、少なくとも１つの連結信号を、通信２９〜３１によって制御手段２８へ送信するように構成されており、通信２９〜３１は、有線とすることも、しないことも可能であり、例えば高周波である。連結信号は、空中ケーブル２へ連結された車両による、装置１の柱２３，２４の通過が検出されると、検出手段２５，２６により送信される。例えば、検出手段は、空中ケーブル２へ連結された車両による、柱２３，２４の通過を検出するように構成された位置センサ２５を備える。位置センサ２５は、柱の通過を検出した際、通信３１を介して、制御手段２８へ連結信号を送信する。好ましくは、装置の各柱２３，２４には、位置センサ２５が設けられる。位置センサ２５は、例えば、それぞれの柱２３，２４に固定される。変形例によれば、検出手段は、駆動モータ１０により供給されるトルクを決定するように構成されたモジュール２６を備える。さらに、モジュール２６は、駆動モータ１０により供給されるトルクの変化率の絶対値が、設定されたしきい値よりも高い場合に、通信３０を介して、制御手段２８へ連結信号を送信する。設定されたしきい値は、装置１の構成に依存する。例えば、１つまたは複数の車両が、ステーションと柱の間、または２つの柱の間を、上昇方向または下降方向に輸送される場合、設定されたしきい値は、モータトルクの変化率よりも高い。駆動モータ１０により供給されるトルクの変化率の検出は、トルクが設定されたしきい値よりも高い場合、柱を通過する車両に対応する。車両が支柱２３を通過する際、車両は、実際に、坂上ポイント（柱の頂点）から、坂下ポイント（ロープ２の輸送の方向で柱の後ろにある位置）まで移動し、この移動は、車両がロープの駆動を強めるため、駆動モータ１０にエネルギーを供給する。より具体的には、支柱２３の通過の前に、駆動モータは、設定されたしきい値よりも低い変化率により供給トルクを増加させて、坂下ポイントから支柱２３の頂点まで車両を動かす。次いで、車両が柱を通過すると、トルクは減少し、車両の通過後は、供給トルクの減少率が設定されたしきい値よりも高くなるようにして、トルクはさらに減少する。いずれの場合も、ロープへ連結された車両が、駆動ターミナル６から離れて、または駆動ターミナル６に向かって動く場合、支柱２３を通過する際に、モータトルクは減少する。よって、支柱２３の通過が検出されると、車両は連結され、車両は支柱２３の方向に輸送され、かつ車両は、ロープの駆動を減速させることになり、これは、振動を制限し、モータ１０の電力消費を減少させる。
【００３８】
さらに、車両が加圧柱２４を通過すると、車両は、坂下ポイント（柱の頂点）から、坂上ポイント（ロープ２の輸送方向で柱の後ろにある位置）まで移動し、駆動モータ１０は、車両がロープの駆動を減速させたときに供給トルクを増加させて、車両を坂上ポイントまで動かす必要がある。より具体的には、加圧柱２４を通過する前に、モータ１０により供給されるトルクは、設定されたしきい値よりも低い変化率で増加し、車両を坂上ポイントから加圧柱２４まで動かす。次いで、車両が柱２４を通過すると、トルクは増加し、車両の通過後は、供給トルクの増加率が設定されたしきい値よりも高くなるようにして、トルクは再度増加する。いずれの場合も、ロープへ連結された車両が、駆動ターミナル６から離れて、または駆動ターミナル６に向かって動く場合、加圧柱２４を通過する際に、モータトルクは増加する。
【００３９】
モータトルクの変化率を決定するために、モジュール２６は、モータにより消費される電力またはロープの速度、あるいはモータ１０により消費される電流を決定することができる。特に、モータ１０により消費される電流は、供給トルクのイメージである。好ましくは、モジュール２６は、駆動モータ１０により消費される電流を測定する手段を備え、測定された消費電流から、駆動モータ１０により供給されるトルクを決定する。
【００４０】
さらに別の変形例によれば、検出手段は、車両が柱２３，２４を通過するであろう時間を計算するように構成された計算ユニット２７を備える。さらに、計算ユニット２７は、計算された時間に達すると、通信２９を介して、制御手段２８へ連結信号を送信する。例えば、計算ユニット２７は、連結装置１７に位置する位置センサを備え、空中ケーブル２に対する車両の連結を検出する。計算ユニット２７は、さらに、車両が空中ケーブル２へ連結される通過時間を測定し、この時間中にブルホイールの回転速度を測定し、次いで、測定された速度および通過時間、ならびに柱と連結装置１７の間の距離から、連結された車両が柱を通過するであろう時間を計算する。距離は、計算ユニット２７の不揮発性メモリに事前に記録されたデータである。
【００４１】
検出手段２５〜２７は、位置センサ２５と、モジュール２６と、計算ユニット２７とを組み合わせて備えることができる。
【００４２】
制御手段２８は、通信２９〜３１によって検出手段に接続され、位置センサ２５またはモジュール２６のいずれかにより、あるいは計算ユニット２７またはこれら３つの全てにより供給された少なくとも１つの連結信号を受信すると、空中ケーブル２に対する車両の連結を命令するように構成されている。連結信号の冗長性は、センサ２５またはモジュール２６または計算ユニット２７の故障を緩和することを可能にする。例えば、制御手段２８は、少なくとも１つの連結信号を受信した場合、連結をトリガするように構成することができる。好ましくは、制御手段２８は、少なくとも計算ユニット２７から来る連結信号を受信した場合、連結をトリガするように構成することができる。制御手段２８は、電子制御ユニットとすることができる。一般的な方法では、制御手段２８は、車両が柱を通過した際、換言すれば、モジュール２６、または位置センサ２５、または計算ユニット２７、あるいはこれら３つの全てから同時に来た連結信号を制御手段２８が受信した際へ連結装置に命令する。制御手段２８は、通信３２によりステーションの連結装置１７に接続され、通信は、有線とすることも、しないことも可能であり、例えば高周波である。より具体的には、制御手段２８は、スタータ駆動モータ２１および加速モータ２２に命令する。制御手段２８が連結信号を受信すると、手段は、少なくとも１つのステーション６〜８の連結装置１７に、離脱された車両を空中ケーブル２へ連結するよう命令する。さらに、制御手段２８は、離脱された車両を中間セクション１５から加速セクション１４まで動かすよう、スタータ駆動モータ２１に命令する。次いで、加速セクションの車輪１６を常時駆動することができる、加速モータ２２は、車両を加速させて、車両をロープ２へ連結することができる。
【００４３】
装置１の一般的な動作原理は、ロープへ連結された第１の車両の柱の通過を検出すること、および第１の車両の柱の通過を検出した際に、少なくとも第２の車両を、空中ケーブルへ連結することである。図１において、初期状態では、第１の車両３は支柱２３を通過し、第２の車両４はロープ２へ連結され、第３の車両５は終点ターミナル７において静止している。第２の車両４が、空中ケーブル２へ連結されると、車両は、中間セクション１５における、点線で表されるその静止位置を離れ、加速セクション１４に入り、次いで、ロープ２へ連結される。次に、空中ケーブル２は、もう１つのターミナル７に向かうＳ方向に駆動される。この場合、第１の車両３は、駆動ターミナル６の方向に輸送され、支柱２３の頂点から駆動ターミナル６まで下降する。第２の車両４は、支柱２３の頂点の方向に輸送される。次いで、第１の車両３は、駆動ターミナル６の中間セクション１５にて離脱および停止され、第２の車両４は、もう１つのターミナル７の方向に支柱２３を通過する。検出手段２５〜２７は、制御手段２８へ連結信号を送信して、第２の車両４が支柱２３を通過したことを示し、制御手段２８は、ターミナル７の連結装置に、第３の車両５を空中ケーブル２へ連結するよう命令する。このサイクルの終わりに、第２の車両４は、ターミナル７に入り、ターミナル７の中間セクション１５にて、車両は離脱および停止される。さらに、第３の車両５は、駆動ターミナル６の方向に支柱２３を通過し、検出手段２５，２６によって新たな通過信号が送信され、制御手段２８は、駆動ターミナル６の連結装置１７に、第１の車両３を空中ケーブルへ連結するよう命令する。
【００４４】
図２において、第１の曲線Ｃは点線で表され、この点線は、従来技術の方法で図１に説明される装置１内で２つの車両が連結される場合の、駆動モータ１０により供給されるトルクＣｍ対時間ｔに対応する。従来技術の方法は、それぞれのターミナル内の２つの連続する車両の連結間の一定時間間隔を考慮して車両を連結し、ロープへ連結された車両間を一定距離に維持することからなる。第１の曲線Ｃの第１の部分Ｃ１により示される、第１のステップにおいて、２つの車両は、それぞれ２つのターミナル６，７内で同時へ連結される。次いで、車両は、支柱の頂点に向けて同時に輸送され、モータトルクは増加する。第１の曲線Ｃの第２の部分Ｃ２により示される、第２のステップにおいて、ロープへ連結された第１の車両は、柱を通過し、トルクは、急激に減少して振動を生じさせ、次いで、柱の頂点に向けた第２の車両の輸送により、再び増加する。第１の曲線Ｃの第３の部分Ｃ３により示される、第３のステップにおいて、第２の車両は、柱を通過し、トルクは、再び急激に減少して振動を生じさせ、かつ、トルクは、２つの車両がそれぞれ２つのターミナル６，７に向けて下降し、互いに空中ケーブルの駆動を強めるので、ネガティブになる。
【００４５】
反対に、本発明によれば、駆動モータにより供給されるトルクは平滑化される。第２の曲線Ｄは、実線で表され、この実線は、本発明に係る図１に説明される装置１内で３つの車両が連結される場合の、駆動モータ１０により供給されるトルクＣｍ対時間ｔに対応する。本発明によれば、ターミナルのそれぞれにおける、２つの連続する車両の連結間の一定時間間隔は、必ずしも考慮されない。さらに、本発明は、車両を連結して駆動モータ１０の振動を制限する構成である。第２の曲線Ｄの第１の部分Ｄ１により示される第１のステップにおいて、ロープへ連結される第１の車両は、柱を通過し、第２の車両は、よって、ターミナル６内で連結される。次いで、第１の車両は、ターミナル６に向けて輸送され、第２の車両は、柱の頂点の方向に輸送され、モータトルクは増加する。特に、トルクの変化率は、設定されたしきい値よりも低い。第２の曲線Ｄの第２の部分Ｄ２により示される第２のステップにおいて、ロープへ連結された第２の車両は、柱を通過し、トルクは急激に減少して、新たな振動を生じさせる。特に、トルクの変化率は、設定されたしきい値よりも高い。
【００４６】
第２のステップにおいて、第３の車両は、ターミナルのうちの１つ、好ましくは他のターミナル７内で連結され、トルクは、次いで増加し、第３の車両を柱の頂点に向けて輸送する。モータトルクは、第３の車両が支柱を通過する際に、第４の車両を連結することで平滑化され続けることができる。本発明によれば、駆動モータにより供給されるトルクは平滑化され、よって振動は制限される。
【００４７】
輸送装置１は、異なる構成を有することができる。これらの構成は、１つまたは複数の柱と、偶数または奇数の台数の車両と、坂上ターミナルおよび坂下ターミナル、あるいは同じレベルに位置するターミナルと、を備えることができ、駆動ターミナルは、坂上または坂下とすることができる。例えば、振動を制限するために、ステーション６〜８の連結装置１７は、少なくとも１つの他のステーション６〜８の連結装置１７の連結頻度とは異なる連結頻度で車両を連結する。技術水準においては、実際に、ライン上の車両間で同じ距離を維持することが望ましく、この場合、離脱された車両の取り付けの頻度は、ターミナルのそれぞれにおいて、同じである必要がある。技術水準においては、ブルホイールにおける振動は抑制されず、供給されるモータトルクも抑制されない。反対に、本発明によれば、ターミナルに依存する異なる連結頻度で車両を連結することにより、ロープに生じる張力と、よって駆動モータにより供給されるトルクとを、要求に応じて調整することができ、特に、車両は、モータトルクの変化率から決定される連結頻度で連結される。
【００４８】
図３において、本発明の別の実施形態が表され、ここで駆動ターミナル６は、ターミナル７よりも高いレベルに位置しており、支柱２３の頂点は、駆動ターミナル６よりも高いレベルに位置する。図１にて先に説明された同一の構成部品の符号は、図３においても用いられる。駆動ターミナル６は、ここでは、坂上ターミナルである。連結原理は、図１にて説明したものと同じである。
【００４９】
図４において、本発明のさらに別の実施形態が表され、装置１は、坂上駆動ターミナル６と、坂下ターミナル７と、２つの終点ターミナル６，７の間に位置する中間ステーション８とを備える。図１にて先に説明された同一の構成部品の符号は、図４においても用いられる。さらに、装置１は、坂上ターミナル６および中間ステーション８の間に位置し、柱の頂点が坂上ターミナル６よりも高いレベルに位置する、第１の支柱２３と、中間ステーション８および坂下ターミナル７の間に位置し、柱の頂点が中間ステーション８よりも高いレベルに位置する、第２の支柱４０と、を備える。この実施形態において、第１の車両３が第１の支柱２３を通過する際に、第２の車両４は、坂上ターミナル６の方向で中間ステーション８へ連結される。次いで、第１の車両３が第２の支柱４０を通過する際、第３の車両５は、坂下ターミナル７内で連結される。
【００５０】
図５において、本発明のさらに別の実施形態が示され、ここで、装置は、同じレベルに位置する２つのターミナル６，７を備える。図１にて先に説明された同一の構成部品の符号は、図５においても用いられる。さらに、装置は、２つの支柱２３，４０と、先述した２つの支柱２３，４０の間に位置する第３の加圧柱２４とを備える。この場合、第１の車両３が第３の柱を通過する際に、第２の車両４は、図５の右側に位置するターミナル７内で連結される。変形例として、第２の車両は、駆動ターミナル６内で連結することができる。さらに別の変形例によれば、第２および第３の車両は、２つのターミナル６，７内で、それぞれ同時へ連結することができる。
【００５１】
さらに、上述した輸送装置１によって、ケーブルによる輸送方法を実施することができる。
【００５２】
このように説明した本発明は、装置の空中ケーブルに発生する振動を制限することにより、乗客の快適性を向上させることを可能にする。本発明は、空中ケーブルの駆動モータのエネルギー消費を減少させることをさらに可能にする。
【図１】
0006615538.tif 000002
【図２】
0006615538.tif 000003
【図３】
0006615538.tif 000004
【図４】
0006615538.tif 000005
【図５】
0006615538.tif 000006